(57)【要約】【課題】ピン碍子が腕金に既に取り付けられていても、ピン碍子の軸部に容易に取り付けることができる電線架設部材用の支持具を提供する。【解決手段】耐張碍子１４０側の長方形状基板部１とピン碍子１１０側の第１の鉤状部１０とが一体的に設けられ、第１の鉤状部１０は、基板部１の短辺部に連続し、基板部１よりも狭い幅でピン碍子１１０側に突出した第１のスティック部１２と、第１のスティック部１２の先端側を基板部１側に折り返した第１位の掛止部１３と、第１の掛止部１３と基板部１との間に設けられた第１の開口部１４とを備えている。基板部１に揺動可能に軸支された第２の鉤状部２０が備えられている。第２の鉤状部２０は、基板部１に軸支される基部２１と、基部２１から突出した第２のスティック部２２と、第２のスティック部２２の先端側を基部２１側に折り返した第２の掛止部２３と、第２の掛止部２３と基部２１との間に設けられた第２の開口部２４とを備えている。【選択図】図１
2011244546.tif 000002
【特許請求の範囲】
【請求項１】
腕金の連通孔に挿通されたピン碍子の軸部と、架空電線を引留める引留クランプに連結された耐張碍子との間に架け渡される電線架設部材用の支持具であって、
耐張碍子側の長方形状基板部とピン碍子側の鉤状部とが一体的に設けられ、前記鉤状部には、前記基板部の短辺部に連続し、かつ、基板部よりも狭い幅でピン碍子側に突出したスティック部と、該スティック部の先端側を前記基板部側に折り返した掛止部と、該掛止部と基板部との間に設けられた開口部とが備えられていることを特徴とする電線架設部材用の支持具。
【請求項２】
前記基板部に揺動可能に軸支された第２の鉤状部が備えられ、該第２の鉤状部には、前記基板部に軸支される基部と、該基部から突出した第２のスティック部と、該第２のスティック部の先端側を基部側に折り返した第２の掛止部と、該第２の掛止部と基部との間に設けられた第２の開口部とが備えられ、該第２の鉤状部は、前記第２の掛止部が前記掛止部から離間して前記開口部と第２の開口部とが対向し、前記開口部が開口した状態と、前記第２の掛止部が前記スティック部の先端側に重なり、第２のスティック部が前記開口部を閉鎖する状態となるように揺動し、前記開口部を開閉することを特徴とする請求項１に記載の電線架設部材用の支持具。
【請求項３】
前記スティック部の側面と前記第２のスティック部の側面には、前記第２の鉤状部が前記開口部を閉じた状態で、第２の掛止部と掛止部を衝止する衝止部がそれぞれ設けられていることを特徴とする請求項２に記載の電線架設部材用の支持具。
【請求項４】
前記基板部に揺動可能に軸支された片開レバーが備えられ、該片開レバーは、スティック部側に傾いて開口部を開口する状態と、掛止部に当たって開口部を閉鎖する状態とに揺動し、前記開口部を開閉することを特徴とする請求項１に記載の電線架設部材用の支持具。
【請求項５】
前記基板部は、一端側の短辺部が鉛直方向を向き、他端側の短辺部が水平方向を向くように、中心部で捻られていることを特徴とする請求項１ないし４のいずれか一項に記載の電線架設部材用の支持具。
【請求項６】
前記基板部は、中心部で屈曲されていることを特徴とする請求項５に記載の電線架設部材用の支持具。
【発明の詳細な説明】
【技術分野】
【０００１】
本発明は、腕金に取り付けられたピン碍子と引留クランプに取り付けられた耐張碍子との間に架け渡される電線架設部材用の支持具に関する。
【背景技術】
【０００２】
図１１に示すように、電柱１０１に固定された腕金１０２間に架空電線１００を架設するため、腕金１０２にピン碍子１１０が取り付けられ、腕金１０２から離れて架空電線１００が引留クランプ１２０に保持され、腕金１０２と引留クランプ１２０との間に電線架設部材用の支持具（以下、主として「支持具」という。）１３０と耐張碍子１４０とが架け渡されている。
【０００３】
ピン碍子１１０は、括れ部を上部に有する本体部１１１の下面から軸部１１２を突出させたもので、軸部１１２の中間部に鍔部１１３が設けられ、軸部１１２の下端部にボルト部１１４が形成されている。このピン碍子１１０は、鉛直向きの姿勢とされ、軸部１１２が腕金１０２の上面と下面とに形成された連通孔に挿通され、鍔部１１３が腕金１０２の上面に宛がわれ、鍔部１１３の下端部が腕金１０２の下面から突出する。この腕金１０２の下面から突出したボルト部１１４にナット１１５が締められ、鍔部１１３とナット１１５が腕金１０２を挟むことで、ピン碍子１１０が腕金１０２に固定される。なお、ピン碍子１１０の括れ部には、架空電線１００を保持する碍子バインド１１６が掛止される。
【０００４】
また、耐張碍子１４０は、水平向きの姿勢とされ、一端部と他端部とに引留金具１４１と支持具１３０とが取り付けられている。引留金具１４１の一端部は、引留クランプ１２０に連結されている。なお、引留クランプ１２０及び引留金具１４１は、鳥などが接触しないようにするするため、保護カバー（図示せず）によって覆われている。
【０００５】
また、支持具１３０は、一般的にストラップと称され、細長い長方形板状部材を成形したもので、腕金１０２と耐張碍子１４０とに架け渡される。したがって、耐張碍子１４０の他端部は、先割れの溝部を形成したものとされ、この溝部に支持具１３０の一端部が挟み込まれる。そして、耐張碍子１４０の他端部と支持具１３０の一端部とには、連通孔が形成され、この連通孔にコッタピンが挿通されることで、支持具１３０と耐張碍子１４０とが連結される。
【０００６】
また、腕金１０２の上面と下面とにそれぞれ支持具１３０の他端部が宛がわれる。そして、支持具１３０は、腕金１０２の上面と下面に形成された連通孔と連通する連結孔を形成したものとされ、この連結孔に前記ピン碍子１１０の軸部１１２が挿通されることで、腕金１０２に支持される。このように、支持具１３０は、一端部が鉛直向き、他端部が水平向きとされるため、中間部で捻（ひね）られている。また、支持具１３０は、他端部が腕金１０２の上面とピン碍子１１０の鍔部１１３とに挟まれるものと、腕金１０２の下面とナット１１５とに挟まれるものの２本一組で使用される。
【０００７】
以上、要するに、架空電線１００は、ピン碍子１１０、引留クランプ１２０、耐張碍子１４０、引留金具１４１、支持具１３０によって、電柱１０１に固定された腕金１０２間に架設される。
【０００８】
なお、特許文献１には、腕金に取り付けられた既設のピン碍子を腕金から外すことなく支持具（特許文献１では、「取付金具」と記載）を取り付けることができるようにした腕金取付け装置が記載されている。
【０００９】
この腕金取付け装置は、図１２に示すように、腕金（図１２において図示せず）の上下両面に重ねる平板状の取付金具２００とボルト（図示せず）とを備えている。取付金具２００は、ピン碍子（図示せず）の軸部が嵌り込む係合切欠２０１を中央部位に設け、ボルトが貫通する透孔２０２を両端部に設けたものとされている。したがって、この取付金具２００は、２枚一組とし、二組、すなわち４枚組み合わせて使用される。
【００１０】
各一組（２枚）の取付金具２００は、係合切欠２０１が反対向きとされ、ピン碍子の軸部を挟み、腕金の上面と下面とに重ねられる。腕金の上面に重ねられた一組の取付金具２００の透孔２０２から腕金の下面に重ねられた２枚の取付金具２００の透孔２０２までボルトが貫通し、ナットをボルトに締結することで、腕金取付け装置が腕金に固定される。
【先行技術文献】
【特許文献】
【００１１】
【特許文献１】実開平６−１７３１０号公報
【発明の概要】
【発明が解決しようとする課題】
【００１２】
架空電線１００は、基本的に腕金１０２と腕金１０２との間に架け渡される。したがって、支持具１３０は、腕金１０２の両側面から突出する方向に向けられ、支持具１３０の連結孔にピン碍子１１０の軸部１１２が挿通される。しかし、架空電線１００には、ある腕金１０２まで架設され、その腕金１０２から先に向けて架設されない場合があり、このような場合は、支持具１３０が架空電線１００のない方に向けて腕金１０２に取り付けられていない。そして、後日、ある腕金１０２まで架設された架空電線１００をさらに延長する場合がある。このような場合においては、新たに追加する支持具１３０を腕金１０２に取り付ける作業が行われる。
【００１３】
図１１に示した支持具１３０を新たに腕金１０２に取り付けるには、停電させた上で、ピン碍子１１０の軸部１１２を腕金１０２の連通孔から脱抜し、追加する支持具１３０の連結孔にピン碍子１１０の軸部１１２を挿通しなければならない。しかし、停電させることは、好ましくないばかりか、ピン碍子１１０の括れ部には、架空電線１００を保持した碍子バインド１１６が掛止され、ピン碍子１１０に大きな荷重が加えられているうえに、碍子ピンの軸部１１２の長さだけ、ピン碍子１１０を持ち上げなければならないことから、軸部１１２を腕金１０２の連通孔から脱抜することで、追加の支持具１３０を腕金１０２に取り付けるという作業は、容易でない。
【００１４】
また、停電させないで、支持具１３０を腕金１０２に取り付けるには、特定の免許を所有している限られた業者が特殊な工具を使用したり、地絡事故防止のための防具を取り付けたりしなければならず、早期に対処することができないものとなっている。
【００１５】
また、特許文献１に記載された腕金取付け装置は、ピン碍子の軸部を腕金の連通孔から脱抜しなくても、取り付けることができるようにされているものの、各取付金具２００の係合切欠２０１にピン碍子の軸部を嵌め込んだ後に、各透孔２０２にボルトを貫通させたりするなどの作業が必要である。したがって、この腕金取付け装置は、取付金具２００を腕金に容易に取り付けることができるものとなってない。
【００１６】
そこで、本発明は、主として、ピン碍子が腕金に既に取り付けられていても、ピン碍子の軸部に容易に取り付けることができるようにした電線架設部材用の支持具を提供することを課題とする。
【課題を解決するための手段】
【００１７】
本発明に係る電線架設部材用の支持具は、腕金の連通孔に挿通されたピン碍子の軸部と、架空電線を引留める引留クランプに連結された耐張碍子との間に架け渡される電線架設部材用の支持具であって、耐張碍子側の長方形状基板部とピン碍子側の鉤状部とが一体的に設けられ、前記鉤状部には、前記基板部の短辺部に連続し、かつ、基板部よりも狭い幅でピン碍子側に突出したスティック部と、該スティック部の先端側を前記基板部側に折り返した掛止部と、該掛止部と基板部との間に設けられた開口部とが備えられていることを特徴としている。
【００１８】
この電線架設部材用の支持具によれば、ピン碍子が腕金に固定された後であっても、ピン碍子を腕金から鉤状部の厚さ分だけわずかに上昇させ、ピン碍子の軸部を露出させることで、新たに追加する電線架設部材用の支持具の鉤状部をピン碍子の軸部に掛止することができる。すなわち、この電線架設部材用の支持具は、ピン碍子をわずかに上昇させた状態で、ピン碍子の軸部がこの電線架設部材用の支持具の鉤状部に設けられた開口部を相対的に通過し、掛止部内に位置することで、鉤状部がピン碍子の軸部を掛止するものとなる。
【００１９】
また、前記本発明に係る電線架設部材用の支持具において、前記基板部に揺動可能に軸支された第２の鉤状部が備えられ、該第２の鉤状部には、前記基板部に軸支される基部と、該基部から突出した第２のスティック部と、該第２のスティック部の先端側を基部側に折り返した第２の掛止部と、該第２の掛止部と基部との間に設けられた第２の開口部とが備えられ、該第２の鉤状部は、前記第２の掛止部が前記掛止部から離間して前記開口部と第２の開口部とが対向し、前記開口部が開口した状態と、前記第２の掛止部が前記スティック部の先端側に重なり、第２のスティック部が前記開口部を閉鎖する状態となるように揺動し、前記開口部を開閉することが好ましい。
【００２０】
この電線架設部材用の支持具によれば、基板部に軸支された第２の鉤状部が、前記基板部に軸支される基部と、該基部から突出した第２のスティック部と、該第２のスティック部の先端側を基部側に折り返した第２の掛止部と、該第２の掛止部と基部との間に設けられた第２の開口部とを備えることにより、第２の掛止部が前記（第１の）掛止部から離間して、前記（第１の）開口部と第２の開口部と対向した状態で、開口した開口部にピン碍子の軸部が相対的に通過することができ、第２の鉤状部がターンして、第２の掛止部が前記（第１の）スティック部の先端側に重なり、第２のスティック部が前記（第１の）開口部を閉鎖する状態で、ピン碍子の軸部が（第１の）スティック部と第２のスティック部に挟まれ、（第１の）掛止部と第２の掛止部に強固に掛止される。
【００２１】
また、前記本発明に係る電線架設部材用の支持具において、前記スティック部の側面と前記第２のスティック部の側面には、前記第２の鉤状部が前記開口部を閉じた状態で、第２の掛止部と掛止部を衝止する衝止部がそれぞれ設けられていることが好ましい。
【００２２】
この電線架設部材用の支持具によれば、（第１の）スティック部の側面と第２のスティック部の側面とに、それぞれ（第１と第２の）衝止部が設けられていることにより、第２の鉤状部をターンして、（第１の）開口部を閉鎖するときに、第２の掛止部が（第１の）衝止部に衝止し、（第１の）掛止部が（第２の）衝止部に衝止することで、第２の鉤状部がターンしすぎないようにされている。そして、（第１の）掛止部が（第２の）衝止部に衝止し、第２の掛止部が（第１の）衝止部に衝止することで、ピン碍子の軸部が（第１の）鉤状部と第２の鉤状に荷重を加えても、（第１の）掛止部と第２の掛止部は拡がらず、（第１の）鉤状部と第２の鉤状部がピン碍子の軸部を掛止した状態を維持する。
【００２３】
また、前記本発明に係る電線架設部材用の支持具において、前記基板部に揺動可能に軸支された片開レバーが備えられ、該片開レバーは、スティック部側に傾いて開口部を開口する状態と、掛止部に当たって開口部を閉鎖する状態とに揺動し、前記開口部を開閉するようにしてもよい。
【００２４】
この電線架設部材用の支持具によれば、片開レバーが基板部側に振れると、開口部が空いた状態となって、ピン碍子の軸部が開口部を相対的に通過することができ、その後、片開レバーが開口部を閉じることによって、ピン碍子の軸部が開口部から外れることがないようにすることができる。
【００２５】
また、前記本発明に係る電線架設部材用の支持具において、前記基板部は、一端側の短辺部が鉛直方向を向き、他端側の短辺部が水平方向を向くように、中心部で捻られていていてもよい。
【００２６】
この電線架設部材用の支持具によれば、耐張碍子を固定される部位が鉛直方向に向けられ、腕金に固定される部位が水平方向に向けられることで、一端側の短辺部を耐張碍子の鉛直方向の溝部内に嵌め入れ、他方側の短辺部側に設けられた（第１の）鉤状部を腕金の上面に宛がって、ピン碍子の軸部とを連結することができる。
【００２７】
また、前記本発明に係る電線架設部材用の支持具において、前記基板部は、中心部で屈曲されていてもよい。
【００２８】
この電線架設部材用の支持具によれば、耐張碍子が腕金の上面よりも下寄りに位置し、腕金の側面と対向していても、耐張碍子とピン碍子の軸部とを好適に連結することができる。
【発明の効果】
【００２９】
本発明によれば、基盤部と鉤状部とが一体に設けられ、鉤状部にスティック部、掛止部、開口部を備えた電線架設部材用の支持具が提供されることにより、腕金に既に取り付けられたピン碍子を電線架設部材用の支持具の厚さ分だけわずかに上昇させることで、新たに電線架設部材用の支持具を追加することができ、ある腕金まで既に架設された架空電線の終端から新たな架空電線を容易に延長することができる。
【図面の簡単な説明】
【００３０】
【図１】本発明に係る電線架設部材用の支持具の第１の実施形態を示し、（ａ）は平面図、（ｂ）は正面図、（ｃ）は左側面図、（ｄ）は斜視図である。
【図２】本発明に係る電線架設部材用の支持具を使用して、架空電線を延長する作業前の状態を示し、（ａ）は要部平面図、（ｂ）は正面図である。
【図３】本発明に係る電線架設部材用の支持具を使用して、架空電線を延長する最初の作業の状態を示し、（ａ）は要部平面図、（ｂ）は正面図である。
【図４】本発明に係る電線架設部材用の支持具を使用して、架空電線を延長する次の作業の状態を示し、（ａ）は要部平面図、（ｂ）は正面図である。
【図５】本発明に係る電線架設部材用の支持具を使用して、架空電線を延長する次の作業の状態を示し、（ａ）は要部平面図、（ｂ）は正面図である。
【図６】本発明に係る電線架設部材用の支持具を使用して、架空電線を延長する最終の作業の状態を示し、（ａ）は正面図、（ｂ）はこの作業で追加して使用する支持具の斜視図である。
【図７】本発明に係る電線架設部材用の支持具の第２の実施形態を示す斜視図である。
【図８】本発明に係る電線架設部材用の支持具の第３の実施形態を示す斜視図である。
【図９】本発明に係る電線架設部材用の支持具の第４の実施形態を示す斜視図である。
【図１０】本発明に係る電線架設部材用の支持具の第５の実施形態を示す斜視図である。
【図１１】従来の電線架設部材用の支持具によって腕金に架設された架空電線の状体を示す正面図である。
【図１２】従来の電線架設部材用の支持具（腕金取付け装置の取付金具）を示す斜視図である。
【発明を実施するための形態】
【００３１】
本発明に係る電線架設部材用の支持具（以下、「支持具」という。）の第１の実施の形態について図１ないし図６を参照しながら説明する。なお、従来と同一部分は、同一符合を付して説明する。
【００３２】
この支持具は、腕金１０２の連通孔に挿通されたピン碍子１１０の軸部１１２と、引留クランプ１２０に連結された耐張碍子１４０とに架け渡されるもので、特に、ある腕金１０２まで既に架設された架空電線１００の終端をさらに延長する場合において、好適に使用することができるようにされている。
【００３３】
すなわち、この支持具は、図１に示すように、耐張碍子１４０側の長方形板状基板部１とピン碍子１１０側の鉤状部（以下、「第１の鉤状部」という。）１０とを一体成形などによって一体的に設けたものとされている。なお、支持具は、図１において、腕金１０２の上面に宛がわれる下面側が上向に描かれており、ここでは、上側に描かれた面を内面といい、下側に描かれた面を外面という。
【００３４】
そして、基板部１の一方の短辺部は、耐張碍子１４０の先割れの溝部に挟み込まれ、連結孔２が形成されている。耐張碍子１４０の溝部は、鉛直向きに形成されるため、基板部１の一方の短辺部も鉛直方向に向けられている。また、第１の鉤状部１０は、腕金１０２の上面に宛がわれるため、水平方向に向けられている。
【００３５】
したがって、この支持具の基板部１は、中間部で捻（ひね）られ、一方の短辺部で鉛直方向に向けられ、鉤状部側の他方の短辺部で水平方向を向くようにされている。さらに、耐張碍子１４０は、腕金１０２の側面に対峙するように腕金１０２の上面よりも低く配置されるため、支持具は、中心部で屈曲され、正面視へ字形に成形されている。
【００３６】
そして、第１の鉤状部１０は、基板部１の他方の短辺部に連続し、かつ、基端部よりも狭い幅でピン碍子１１０側に突出したスティック部（以下、「第１のスティック部」という。）１２と、この第１のスティック部１２の先端側を基板部１側に折り返した掛止部（以下、「第１の掛止部」という。）１３と、この第１の掛止部１３と基板部１との間に設けられた開口部（以下、「第１の開口部」という。）１４とを備えている。さらに、第１のスティック部１２には、第１の開口部１４と反対側の側縁に衝止部（以下、「第１の衝止部」という。）１５が外面から突設している。
【００３７】
そして、この支持具には、基板部１の他方の短辺部の外面に、鉤状部２０を揺動可能に軸支したものとされている。この第２の鉤状部２０は、基板部１にピンなどによって軸支される基部２１と、この基部２１から突出した第２のスティック部２２と、この第２のスティック部２２の先端側を基部２１側に折り返した第２の掛止部２３と、この第２の掛止部２３と基部２１との間に設けられた第２の開口部２４とを備えている。さらに、第２のスティック部２２には、第２の開口部２４と反対側の側縁に第２の衝止部２５が内面から突出している。
【００３８】
ただし、第１の鉤状部１０と第２の鉤状部２０とは、第１の開口部１４と第２の開口部２４とが向き合うように第２の鉤状部２０の基部２１が基板部１の他方の短辺部に軸支されている。したがって、この支持具は、第２の鉤状部２０がターンして、第１の鉤状部１０に重なった状態において、第２の鉤状部２０の第２の掛止部２３が第１の衝止部１５に衝止し、第１の鉤状部１０の第１の掛止部１３が第２の衝止部２５に衝止するようにされている。
【００３９】
第１の実施形態の支持具は、以上のように構成され、次に、この支持具を腕金１０２に固定する方法について図２ないし図６を参照しながら説明する。
【００４０】
この支持具を腕金１０２に固定する前においては、図２に示すように、腕金１０２には、ピン碍子１１０が固定され、このピン碍子１１０に一般的な支持具１３０，１３０が一対のみ支持されている。この一般的な一対の支持具１３０，１３０は、架空電線１００を保持した引留クランプ１２０（図１１参照）に接続された耐張碍子１４０と腕金１０２に固定されたピン碍子１１０との間に架け渡されている。また、架空電線１００は、一方（図面では左側）からピン碍子１１０まで架設され、その先（図面では右側）は架設されず、途切れた状態とされている。
【００４１】
この架空電線１００を先からさらに延長するため、本支持具を腕金１０２に取り付ける。そのため、図３に示すように、ナット１１５を緩め、ピン碍子１１０をわずかに本支持具の厚さ分だけ上昇させ、鍔部１１３と腕金１０２の上面に宛がわれた既設の支持具１３０との間に空間部を設ける。なお、ナット１１５は、軸部１１２のボルト部１１４から外さず、緩められて下方に移動した分だけピン碍子１１０が上昇する。
【００４２】
そして、本支持具をピン碍子１１０付近に近づける。本支持具は、初期の段階において、第２の鉤状部２０が第１の鉤状部１０から離れ、第１の開口部１４と第２の開口部２４とが開口した状態とされている。
【００４３】
次に、図４に示すように、本支持具の第１の開口部１４と第２の開口部２４が鍔部１１３と腕金１０２の上面との間において、軸部１１２を挟むように本支持具を移動する。
【００４４】
次に、図５に示すように、第２の鉤状部２０をターンすることで、第１の鉤状部１０に重ねる。第２の鉤状部２０の第２の掛止部２３が第１の衝止部１５に衝止し、第１の掛止部１３が第２の衝止部２５に衝止することにより、第２の鉤状部２０はターンしすぎない。したがって、ピン碍子１１０の軸部１１２は、第１のスティック部１２と第２のスティック部２２との間に的確に挟まれる。
【００４５】
そして、本支持具が腕金１０２から離れる方向（図面において右側）へ引かれると、第１の掛止部１３と第２の掛止部２３がピン碍子１１０の軸部１１２を挟む状態となる。続いて、上昇させていたピン碍子１１０を下降させ、鍔部１１３が本支持具の第２の鉤状部２０上に載るようにする。このとき、ピン碍子１１０の軸部１１２に付けられたままのナット１１５が腕金１０２の下面に宛がわれた既設の支持具１３０よりも下方に位置し、ナット１１５とこの支持具との間に間隔が空けられている。
【００４６】
次に、図６（ａ）に示すように、腕金１０２の下面の既設の支持具１３０に別の支持具３０を重ね合わせる。この支持具３０は、図６（ｂ）に示すように、長方形の板状部材３１が中心部で捩られ、かつ、屈曲したもので、一端部が耐張碍子１４０の切込部に嵌め入れられ、他端部が腕金１０２の下面の既設の支持具１３０に重ね合わされる。したがって、この支持具３０は、一端部に耐張碍子１４０の連通孔に連通する連結孔３１ａを設け、他端部にピン碍子１１０の軸部１１２に掛止する係合穴３２を設けたものとされている。
【００４７】
係合穴３２は、ピン碍子１１０の軸部１１２の外径と同じ又はやや大きな内径の縮径部３２ａを先端縁側に設け、ナット１１５よりも大きな内径の拡径部３２ｂを中心部側に設けた形状とされている。したがって、この支持具３０は、係合穴３２の拡径部３２ｂをナット１１５が通過し、腕金１０２から離れる方向（図面において右方向）に引くことで、ピン碍子１１０の軸部１１２を縮径部３２ａ内に位置させることができる。
【００４８】
そして、ナット１１５を締め付けることで、本支持具と新たな支持具３０と、既設の支持具１３０，１３０とが腕金１０２に固定される。
【００４９】
そして、本支持具と新たな支持具３０の一端部が耐張碍子１４０の溝部内に嵌め入れられ、連通孔と連結孔とにコッタピンが挿通されると、本支持具の取り付け作業が終了する。この後、耐張碍子１４０に取り付けられる引留クランプ１２０に新たな架空電線１００を固定し、この架空電線１００の末端と、既に架設されている架空電線１００の先端部とが接続されると、一連の作業が終了する。
【００５０】
本支持具には、新たに架設された架空電線１００から張力が加えられ、第１の掛止部１３と第２の掛止部２３を拡開させるような力が作用しても、第１の掛止部１３が第２の衝止部２５に衝止し、第２の掛止部２３が第１の衝止部１５に衝止することにより、第１の掛止部１３と第２の掛止部２３は拡開することなく、ピン碍子１１０の軸部１１２を掛止し続ける。
【００５１】
なお、本発明は、前記の実施形態に限定することなく種々変更することができる。例えば、本支持具は、図７に示すように、基板部１が中心部で捩られるだけで、へ字状に屈曲されないものや、図８に示すように、基板部１が中心部で捩られず、しかも、屈曲もされない平板状のものでも実施することができる。
【００５２】
さらに、本支持具は、図９に示すように、第２の鉤状部２０がカラビナのように、第１のスティック部１２側に傾いて開口部を開口するようにする片開き開閉レバー２６を基板部１に軸支したものとしてもよい。
【００５３】
さらに、本支持具は、図１０に示すように、開閉部を備えず、開口部１４を空けたままとしてもよい。ただし、図１０の支持具は、基板部１の強度が第２の鉤状部２０を備えたものよりも変形しにくいものでなければならず、そのため、基板部１及び鉤錠部１０を厚くしたり、剛性が高い材質のものを使用したりする必要がある。
【００５４】
さらに、図示しないが、カラビナのような開閉レバー２６を備えた支持具や開閉レバー２６を備えていない支持具においても、基板部１を正面視へ字状に屈曲させないで捩っただけとしてもよいし、捩りも屈曲もしない平板状のものとしてもよい。
【００５５】
さらに、基板部１と鉤状部とは、別体のものを一体化してもよい。すなわち、第１の鉤状部１０の基端部に雄ネジ部を形成し、基板部１に雌ネジ部を形成し、両ネジを螺合することで一体化してもよい。
【００５６】
さらに、本支持具は、腕金１０２に取り付けられたピン碍子１１０に後から固定することができるようにすることを主要な課題とするが、それ以外に、例えば、錆などによって部品を交換しなければならない場合などにおいて使用してもよい。
【符号の説明】
【００５７】
１………基板部
１０……（第１の）鉤状部
１２……（第１の）スティック部
１３……（第１の）掛止部
１４……（第１の）開口部
１５……（第１の）衝止部
２０……第２の鉤状部
２１……基部
２２……第２のスティック部
２３……第２の掛止部
２４……第２の開口部
２５……第２の衝止部
２６……開閉レバー
【図１】
2011244546.tif 000003
【図２】
2011244546.tif 000004
【図３】
2011244546.tif 000005
【図４】
2011244546.tif 000006
【図５】
2011244546.tif 000007
【図６】
2011244546.tif 000008
【図７】
2011244546.tif 000009
【図８】
2011244546.tif 000010
【図９】
2011244546.tif 000011
【図１０】
2011244546.tif 000012
【図１１】
2011244546.tif 000013
【図１２】
2011244546.tif 000014